(57)【要約】【課題】  他のデータ処理装置より画像データを含むデータを受信して再生することが出来る画像再生装置において、搭載する記録媒体の使用効率を低下させずに、不特定多数の外部のデータ処理装置から送信されるデータのうち必要十分なデータ形式で記録する。【解決手段】  他のデータ処理装置より画像データを含むデータを受信して再生することができる画像再生装置において、受信後に受信したデータが該画像再生装置で再生不可能なフォーマットを含むデータであるか否かを判定し、再生不可能なフォーマットを含むデータであった場合に、受信データから該画像再生装置で再生不可能なデータを検出する、検出手段と、該データを削除することによって前記受信データを再生可能な画像フォーマットデータに再構成するデータ編集手段を備える。ユーザにとって必要最小限のデータを記録して記録媒体の使用効率を向上させる。【選択図】  図１
2006340147.tif 000002
【特許請求の範囲】
【請求項１】
他のデータ処理装置より画像データを含むデータを受信して再生することができる画像再生装置において、
受信後に受信したデータが該画像再生装置で再生不可能なフォーマットを含むデータであるか否かを判定し、再生不可能なフォーマットを含むデータであった場合に、受信データから該画像再生装置で再生不可能なデータを検出する、検出手段と、該データを削除することによって前記受信データを再生可能な画像フォーマットデータに再構成するデータ編集手段、
を備えた画像再生装置。
【請求項２】
他のデータ処理装置より画像データを含むデータを受信して再生することができる画像再生装置において、
受信後に受信したデータが該画像再生装置で再生不可能なフォーマットを含むデータであるか否かを判定し、再生不可能なフォーマットを含むデータであった場合に、受信データから該画像再生装置で再生不可能なデータを検出する、検出手段と、該データを削除することによって前記受信データを再生可能な画像フォーマットデータに再構成するデータ編集手段、
を備えたアルゴリズムを有するソフトウェア及びそれを記憶した媒体。
【請求項３】
請求項１における前記検出手段は受信した動画像データの中に音声データフォーマットを含むか否かを判定し、音声データが含まれている場合にはそのデータ領域を検出することを特徴とする請求項１記載の画像再生装置。
【請求項４】
請求項１における前記データ編集手段は受信した動画像データの中の音声データフォーマットを削除して、動画像データを再構成することを特徴とする請求項１記載の画像再生装置。
【請求項５】
他のデータ処理装置より画像データを含むデータを受信して再生することができる画像再生装置において、
受信後に受信したデータが該画像再生装置で再生不可能なフォーマットを含むデータであるか否かを判定する検出手段と、該データから再生可能な画像フォーマットデータ抽出するデータ編集手段、
を備えた画像再生装置。
【請求項６】
他のデータ処理装置より画像データを含むデータを受信して再生することができる画像再生装置において、
受信後に受信したデータが該画像再生装置で再生不可能なフォーマットを含むデータであるか否かを判定する検出手段と、該データから再生可能な画像フォーマットデータ抽出するデータ編集手段、
を備えたアルゴリズムを有するソフトウェア及びそれを記憶した媒体。
【請求項７】
請求項５における前記検出手段は受信した動画像データが静止画データ群で構成されているかを判定することを特徴とする請求項５記載の画像再生装置。
【請求項８】
請求項５における前記データ編集手段は受信した動画像データの中から静止画データをサンプリングして複数枚の静止画像データを抽出することを特徴とする請求項５記載の画像再生装置。
【発明の詳細な説明】
【技術分野】
【０００１】
この発明は、画像データを受信し再生が可能な画像再生装置に関する。
【背景技術】
【０００２】
デジタルフォーマットの画像データは銀塩カメラやその他の撮像装置で撮影したアナログの画像データと異なり、画像の編集や通信等が容易である。ユーザーはデジタルカメラを使ってフィルムの現像を待つことなく撮った画像をすぐその場で見たり、削除したり、或いは編集したりすることができる。特に複数のユーザーがそれぞれ撮影した画像を共有するときは画像の焼き増しが必要なく、互いのデータ処理装置間で通信することで容易なデータ共有が可能である。
【０００３】
こうした画像データ利用の利便性向上に伴い、主に通信機能を利用したサービスの提供が可能である。例えば契約、登録したメンバーにコンテンツ配信会社が画像を定期的に送信したり、ある個人がデジタルカメラ等で撮影した画像を、登録したグループメンバーに配信したりすることができる。このような画像データの配信は、現在主に配信先としてパーソナルコンピュータを想定したものであるが、今後は携帯電話やデジタルカメラを含む携帯端末へと拡大していく傾向にある。現在でも既に携帯端末で画像データを受信することは可能である。例えば撮像装置を搭載した携帯電話で撮像した画像を別の携帯電話に配信するような機能は現在提供されているサービスに存在する。
【０００４】
今後携帯端末は、不特定多数のデータ処理装置から配信される画像データを受信することが必要になる。この場合、上記の例に示すように同様のサービスに加入した登録者、或いは登録した端末間で決められたデータフォーマットだけでなく、様々なフォーマットを有するデータを受信しなければならない。しかし本来携帯端末は携帯性を重視した仕様のため、ある特定の機能に特化した構成にしかなっていない。従って、他のフォーマットを有するデータを再生することが不可能であり、これを仮にデータとして受信した場合には、再生可能な他のデータ処理装置に転送して再生しなければならない。
【０００５】
このような問題を回避するために、従来ではデータ処理機器間のデータ送受信はプロトコルによってデータを管理し、データフォーマットの検出を行って、送信側の機器が受信側の機器にとって未対応のフォーマットを送信した場合には受信側の機器がそのデータの受信を拒否することが可能である。
【０００６】
しかし受信側の機器が本来そのフォーマットデータの再生を目的としないようなデータの受信を拒否する場合であれば、問題ないが、未対応ではあるが類似したデータフォーマットの再生を目的とするデータを受信するケースも考えられる。以下に具体例を示す。
【０００７】
例えば、デジタルカメラによるデータ受信を考える。本来デジタルカメラ単体では画像データの再生のみを目的としており、ドキュメントデータや実行ファイル形式のデータなどの再生はそもそも無意味であり、それらのデータをデジタルカメラが受信する必要はない。その場合、受信側のデジタルカメラは送信側データ処理装置とのプロトコル通信によってそれらを拒否することは妥当な処理であるといえる。しかし、今度は互いに機能仕様が異なるデジタルカメラ間で画像データを送受信する場合を考える。例えば、送信側のデジタルカメラが音声入力装置を有し、ＭＰＥＧ動画像データを音声付きで記録することが可能で、受信側のデジタルカメラは音声出力装置を持たないため、音声データの再生が不可能である場合の動画像データ送受信についてである。受信側のデジタルカメラは音声無しでＭＰＥＧ動画像再生が可能な場合は、これをプロトコル通信によって受信を拒否するのは妥当ではない。また仮に音声付きのＭＰＥＧフォーマットのデータを受信しても再生時には音声データ部を無視するだけで、動画像の再生が可能である。ユーザーにとって一部でも対応フォーマットデータがあれば受信できる許容範囲を持っておくことが好ましい。しかしこの場合、再生不可能なデータがデジタルカメラに搭載した、或いは着脱可能な記録媒体を占有することになる。
【０００８】
携帯端末は省スペースを重視した設計のため、装置に搭載可能な記録媒体のメモリ容量は限られている。そのため上記のような無駄なデータが存在することはメモリと携帯端末、上記の例ではデジタルカメラであるが、の本来の使用効率を低下させる原因となる。従って、上記の音声データを含むＭＰＥＧ動画データのように対応可能な画像データだけを残し、未対応の音声データを削除して記録媒体に記録しておくことが、メモリの使用効率の面から考えて望ましい。
【０００９】
上記のデータ編集は画像再生装置の受信後に行うことも可能であるが、将来不特定多数のデータ処理装置から送信されるデータに対してユーザーの手を介して行うことは作業が煩雑であり、ユーザーの満足度の面から考えると再生装置による自動的な処理が求められている。
【００１０】
特開平８−１１６５２６、特開２０００−０９００１９では主に送信元の機器が送信先の機器の製品仕様を検出し、その製品仕様に応じて送信元機器がデータの編集、加工をおこなって送信する提案がなされている。しかし、本発明においては送信元のデータ処理装置も多数の再生装置への画像データの配信を前提としているため、それぞれ送信先の機器の製品仕様を検出してデータの編集を行うことは非常に処理が大変である。従って本発明は主に受信側の再生装置としての処理に特化した提案であり、上記の公知の発明においては言及されていない内容である。
【特許文献１】特開平８−１１６５２６号公報
【特許文献２】特開２０００−０９００１９号公報
【発明の開示】
【発明が解決しようとする課題】
【００１１】
本発明は以上の点を考慮してなされたものであり、本出願の発明の目的は、再生可能なフォーマットデータの一部に再生が未対応なフォーマットデータが含まれている場合でも、それを受信すると共に装置に搭載の記録媒体のメモリ使用効率を損ねないデータ再生装置を提案することである。
【課題を解決するための手段】
【００１２】
他のデータ処理装置より画像データを含むデータを受信して再生することができる画像再生装置において、
受信後に受信したデータが該画像再生装置で再生不可能なフォーマットを含むデータであるか否かを判定し、再生不可能なフォーマットを含むデータであった場合に、受信データから該画像再生装置で再生不可能なデータを検出する、検出手段と、該データを削除することによって前記受信データを再生可能な画像フォーマットデータに再構成するデータ編集手段、
を備えていることを特徴とする。
【００１３】
他のデータ処理装置より画像データを含むデータを受信して再生することができる画像再生装置において、
受信後に受信したデータが該画像再生装置で再生不可能なフォーマットを含むデータであるか否かを判定し、再生不可能なフォーマットを含むデータであった場合に、受信データから該画像再生装置で再生不可能なデータを検出する、検出手段と、該データを削除することによって前記受信データを再生可能な画像フォーマットデータに再構成するデータ編集手段、
を備えたアルゴリズムを有するソフトウェア及びそれを記憶した媒体を備えていることを特徴とする。
【００１４】
請求項１における前記検出手段は受信した動画像データの中に音声データフォーマットを含むか否かを判定し、音声データが含まれている場合にはそのデータ領域を検出することを特徴とする。
【００１５】
請求項１における前記データ編集手段は受信した動画像データの中の音声データフォーマットを削除して、動画像データを再構成することを特徴とする。
【００１６】
他のデータ処理装置より画像データを含むデータを受信して再生することができる画像再生装置において、
受信後に受信したデータが該画像再生装置で再生不可能なフォーマットを含むデータであるか否かを判定する検出手段と、該データから再生可能な画像フォーマットデータ抽出するデータ編集手段、
を備えていることを特徴とする。
【００１７】
他のデータ処理装置より画像データを含むデータを受信して再生することができる画像再生装置において、
受信後に受信したデータが該画像再生装置で再生不可能なフォーマットを含むデータであるか否かを判定する検出手段と、該データから再生可能な画像フォーマットデータ抽出するデータ編集手段、
を備えたアルゴリズムを有するソフトウェア及びそれを記憶した媒体を備えていることを特徴とする。
【００１８】
請求項５における前記検出手段は受信した動画像データが静止画データ群で構成されているかを判定することを特徴とする。
【００１９】
請求項５における前記データ編集手段は受信した動画像データの中から静止画データをサンプリングして複数枚の静止画像データを抽出することを特徴とする。
【発明の効果】
【００２０】
請求項１の請求によると、他のデータ処理装置より画像データを含むデータを受信して再生することができる画像再生装置において、受信後に受信データから該画像再生装置で再生不可能なデータ領域を検出した場合に、該データを削除して前記受信データを再生可能な画像フォーマットデータに再構成することによって、記録媒体の使用効率を低下させることなく、ユーザーによる画像再生を可能にする。
【００２１】
請求項２の請求によると、請求項１記載のアルゴリズムを搭載することにより、他の画像再生装置で上記機能を実現することができる。
【００２２】
請求項３の請求によると、前記検出手段において受信した動画像データの中に音声データフォーマットを含むか否かを判定し、音声データが含まれている場合にはそのデータ領域を検出することにより上記機能を実現することができる。
【００２３】
請求項４の請求によると、前記データ編集手段において受信した動画像データの中の音声データフォーマットを削除して、動画像データを再構成することによって上記機能を実現することができる。
【００２４】
請求項５の請求によると、他のデータ処理装置より画像データを含むデータを受信して再生することができる画像再生装置において、
受信後に受信したデータが該画像再生装置で再生不可能なフォーマットを含むデータであった場合に、該データから再生可能な画像フォーマットデータ抽出することで再生できなかったり、記録媒体の使用効率が低下したりする問題を回避することができる。
【００２５】
請求項６の請求によると、請求項５記載のアルゴリズムを搭載することにより、他の画像再生装置で上記機能を実現することができる。
【００２６】
請求項７の請求によると、前記検出手段において受信した動画像データが静止画データ群で構成されているかを判定することによって上記機能を実現することができる。
【００２７】
請求項８の請求によると、前記データ編集手段において受信した動画像データの中から静止画データをサンプリングして複数枚の静止画像データを抽出ことによって上記機能を実現することができる。
【発明を実施するための最良の形態】
【００２８】
以下、この発明の実施例を図面と共に詳述する。
【００２９】
（第１の実施例）
本実施例では音声出力装置を有しないデジタルカメラに、音声データ入りＭＰＥＧ画像データが送信された場合に、そのデータ受信後に音声データパックを削除して映像のみのデータに再構成して付属の記録媒体に記録する手法について説明する。
【００３０】
本実施例におけるデジタルカメラのシステム構成を図１に示す。ここで、１はデジタルカメラ全体、２は撮影光学系、３はレンズ、４はＣＣＤ、５はＣＤＳ／ＡＧＣ、６はＡ／Ｄコンバータ、７は信号処理装置Ａ、８はＶ−ドライブ、９はタイミングジェネレータ（以下ＴＧと略す）、１０は信号処理装置Ｂ、１１はデータバス、１２はＣＰＵバス、１３はＲＯＭ等の不揮発性メモリ、１４はＣＰＵ、１５は画像データの記録を行うメモリカード、１６は操作部材を持つユーザーインターフェース、１７はディスプレイコントローラ、１８はＶＲＡＭ、１９はＤＲＡＭ等の揮発性メモリ、２０は液晶モニタである。
【００３１】
さらに本発明において、フォーマット検知手段２１、受信データ編集手段２２、通信手段２３を含む。
【００３２】
まず、デジタルカメラ１の撮影表示に関する動作について説明する。以下の制御は全て揮発性メモリ１９のプログラムメモリ上にメモリカード１５或いは不揮発性メモリ１３からロードしたソフトウェアをＣＰＵ１４上で起動することで行う。まず撮影光学系２のレンズ３によってＣＣＤ４に結像した画像をＣＤＳ／ＡＧＣ５によって電気信号の振幅やゲインを調整する。さらにＡ／Ｄコンバータ６を用いてアナログ信号からデジタル信号に変換する。次にこのデジタル信号を、信号処理装置Ａ７を用いて、画像の色座標系上の値に変換する。ここで色座標系にはＹ−Ｃ座標系のほか、ＲＧＢ座標系等、様々な色空間の座標系が存在するが、本発明中では限定されるものではない。
【００３３】
信号処理装置Ａ７からはＣＣＤ４の撮影画素数に応じたデータが画素クロックに同期して出力する。すなわち図１において信号処理装置Ａ７から出力する制御線上の値は画素クロックであり、データ線上の値は実際に撮影光学系２から取得した実画像データとなる。さらに、同様に信号処理装置Ａ７の制御線上には画素クロックと同時にＣＣＤ４の撮影エリアのサイズに対応した制御信号を出力する。すなわち撮影エリアの１ラインが始まる度にＨＤの信号を、撮影エリアの１フィールドおきにＶＤの信号を出力する。
【００３４】
このようにして、撮影光学系２によって撮影して色変換した信号を信号処理装置Ａ７の発生する制御信号と同期して出力し、信号処理装置Ｂ１０に入力する。信号処理装置Ｂ１０は主に揮発性メモリ１９とのデータの読み書き、メモリカード１５とのデータの読み書き、ディスプレイコントローラ１７の駆動、液晶モニタ２０画像表示用データのＶＲＡＭ１８への書き込み、ＣＰＵ１４からの信号の変換、撮影光学系への制御信号の送信、デジタルカメラ１外部への画像データの送信を制御する。信号処理装置Ｂ１０によって作成した画像データは静止画撮影の場合はＪＰＥＧ画像フォーマットに、動画撮影の場合はＭＰＥＧ画像フォーマットに、従った圧縮処理を行って記録データを生成し、メモリカード１５に書き込み記録する。また、撮影時のプレビューや再生時に画像を液晶モニタ２０に表示するためには、画像データを、データバス１１を通じてＶＲＡＭ１８に書き込み、同時にＣＰＵバス１２を通じてディスプレイコントローラ１７を駆動する。ディスプレイコントローラ１７はＶＲＡＭ１８のデータを液晶モニタ２０に表示する。その他ユーザーインターフェース１６はユーザーからの撮影、再生、モード設定、液晶モニタ２０ＯＮ／ＯＦＦ、メモリカード１５カードの着脱を行う。以上のようにしてユーザーは画像の撮影、記録、再生を行うことができる。
【００３５】
一方、外部のデータ処理装置から送信されたデータはつんしん手段２３を介して受信することができる。このとき外部のデータ処理装置との接続形態はＵＳＢやＩＥＥＥ１３９４といった有線のケーブルである場合や赤外線などの無線接続である場合があるが本発明においては限定するものではない。また本実施例では通信手段２３において外部データ処理装置とプロトコルによる通信を行っており、画像以外のドキュメントデータや実行ファイル形式データはプロトコル通信によって受信拒否されている。従って、デジタルカメラ１が受信することができるデータは少なくとも画像再生が可能なフォーマットである。但し、対応するフォーマットには全て再生可能なデータ含まれているとは限らない。受信したデータは一度揮発性メモリ１９に入って最終的にメモリカード１５に記録されるがこのときフォーマット検知手段２１と受信データ編集手段２２による本発明の処理が入る。いま外部のデータ処理装置からＭＰＥＧフォーマットデータが送信されたときの処理について以下に詳述する。
【００３６】
そこでまずＭＰＥＧ動画像データのフォーマットについて図４に示す。但し、このフォーマット表示はＭＰＥＧの１例であり、このフォーマットに限定されるものではない。ＭＰＥＧ動画像データはパック３０１という単位ごとのデータブロックからなる。それぞれのパックにはパックヘッダ３０２とシステムヘッダ３０３と複数のパケット３０４から成り、パックヘッダ３０２にはパックの開始コードや基準時間情報、そして多重化に用いるビットレートに関する情報が入っている。システムヘッダ３０３には映像、音声各データストリームビットレート等の情報が記述される。パケット３０４はさらにパケットヘッダ３０５と個別のストリーム３０６に分割され、パケットヘッダ３０５には個別のストリームを識別するＩＤやパケットサイズ、その他同期再生のための時間情報等が記述される。ストリーム３０６はそれぞれ映像データ、音声データ、その他のデータの実データであり、時分割多重されて一つのストリーム群を構成する。再生時にこれらをそれぞれに分割して映像表示と音声出力を同期して行う。
【００３７】
いまＭＰＥＧ動画像データがそのままメモリカード１５に記録され、再度デジタルカメラ１の不揮発性メモリ１３に記録されている画像再生手段によって再生された場合、ＭＰＥＧデータを映像と音声のデータに分割して映像データはディスプレイコントローラ１７を駆動してＶＲＡＭ１８から液晶モニタ１９に表示されるがデジタルカメラ１はスピーカー等の音声出力装置を有していないため、出力が不可能である。そのためメモリカード１５にはデジタルカメラ１で再生不可能な音声データがメモリ領域を占有していることになり、配信される様々な画像データを取得ために多くの記録容量が必要とされている状況において無駄なデータが存在することはメモリ容量の使用効率を低下させる原因となる。
【００３８】
このような問題に対して、前述した通信手段２３によるデータ受信においてプロトコルによるデータの受信拒否をする方法も考えられるが、不特定多数の外部のデータ処理装置から送信される多岐にわたる画像フォーマット仕様のうち、受信可能なデータが限定されることになる。これはユーザーにとって満足度の高い画像配信を受けるためにはユーザーの持つ機器に制約を課すことになり、自由度がなくなってしまう。そこで一旦ユーザー側の再生装置に取り込み、ユーザーの手で自由に編集する方法も考えられるが、今後常時取り込みを可能とするようなサービスに対してそのつどユーザーに画像編集を強いる方法は大きな負荷となる。従って、少なくとも再生可能なフォーマットが送信された場合にはそれを受信して、その中で再生に必要十分なフォーマットデータだけでデータを再構成して記録しておくことが好ましい。
【００３９】
そこで通信手段２３から入力した画像を一度揮発性メモリ１９に格納した時点で次にフォーマット検知手段２１とデータ編集手段２２を起動する。以下に上記２つによる受信データフォーマットの変換シーケンスのフローチャートを、図２を使って説明する。
【００４０】
まず通信手段２３によって揮発性メモリ１９に受信データが蓄積される（Ｓ１０１）と、フォーマット検知手段２１によってどのフォーマットを受信したかを検知する。本実施例では通信手段２３による外部のデータ処理装置とのプロトコル通信においてデジタルカメラ１が全て再生不可能なフォーマットを有するデータの受信を拒否しているため、受信したデータは少なくとも再生可能なフォーマットを有するデータである。しかし、ＭＰＥＧフォーマットのように映像データと音声データが混在するデータフォーマットでは、デジタルカメラ１では音声データが再生不可能である。ここではＳ１０１でＭＰＥＧデータが受信された場合について記す。
【００４１】
次にフォーマット検知手段２１が、受信したデータがＭＰＥＧデータフォーマットであることを検知するとＭＰＥＧフォーマットのパック領域をデータの先頭から検索する（Ｓ１０２）。そしてパック領域のなかでさらにパケットヘッダを検索し、その識別情報からストリームが音声データであるのか映像データであるのかを識別する（Ｓ１０３）。ここでそのパケットが音声データストリームでない、すなわち映像データストリームである場合には、このデータはデジタルカメラ１で再生可能であるので、記録する。しかし、このパケットが音声データストリームである場合には（Ｓ１０４）、デジタルカメラ１での再生にとって不要なデータであるため、そのパケットを削除して（Ｓ１０５）、その空きのパケット領域に次に入るべきパケットを詰めてパックを再構成する（Ｓ１０６）。
【００４２】
これをパックに含まれるパケット全てについて行い（Ｓ１０７）、さらに全てのパックに行って（Ｓ１０８）、受信したＭＰＥＧフォーマットのデータを全て再構成する。ここで改めて再構成して揮発性メモリ１９に蓄積したデータをメモリカード１５に記録して（Ｓ１０９）、データ変換を終了する（Ｓ１１０）。
【００４３】
以上のように音声出力機能を有しないデジタルカメラが外部のデータ装置から受信したＭＰＥＧフォーマットデータのうち、再生に不要な音声データを削除して付属の記録媒体に記録することによって、記録媒体を無駄に占有するデータを削除しつつ、再生可能なデータを再構成して記録することができる。
【００４４】
ところで、本実施例においては動画と音声を含むデータフォーマットとしてＭＰＥＧフォーマットについて述べたが、これはこのフォーマットに限定されるものではない。また、外部のデータ処理装置との通信にはプロトコル通信を使用しているが、プロトコルのない通信において、デジタルカメラ側がスレーブ装置として動作している場合でも同様である。さらに、本実施例において受信側の画像再生装置としてデジタルカメラを挙げたが、映像出力装置と記録媒体を有する画像再生装置であれば、いずれの装置にも限定されるものではない。
【００４５】
（第２の実施例）
本実施例では動画出力装置を有しないデジタルカメラに、Ｍｏｔｉｏｎ−ＪＰＥＧ画像データが送信された場合に、そのデータ受信後に複数枚の静止画ＪＰＥＧデータに分割すると共にそのうちの数枚を抽出して付属の記録媒体に静止画として記録する手法について説明する。本実施例の構成は第１の実施例と同様、図１に示す通りである。但し、図１のデジタルカメラは動画再生機能を持たないカメラである点が第１の実施例と異なる。
【００４６】
Ｍｏｔｉｏｎ−ＪＰＥＧデータフォーマットはＪＰＥＧフォーマットデータをそのまま時系列につなぎ合わせたものである。音声データは独立にあるため、本実施例の説明では省略する。
【００４７】
本実施例における受信データ記録方法について説明する。図３にそのフローチャートを示す。まずフォーマット検知手段２１が、受信したデータがＭｏｔｉｏｎ−ＪＰＥＧデータフォーマットであることを検知する（Ｓ２０１）とＪＰＥＧデータ領域をデータの先頭から検索する（Ｓ２０２）。本実施例ではＭｏｔｉｏｎ−ＪＰＥＧで分割した静止画ＪＰＥＧデータのうち５枚周期でサンプリングして抽出し、それらのみをメモリカード１５に記録する機能を持つ。従ってＳ２０２において受信したデータの先頭からのＪＰＥＧデータのカウンタＮを設定し
ｍｏｄ（Ｎ，５）
を計算する。この計算式はＮを５で割ったときの余りを示すものであり、これが０であるかどうかを比較する（Ｓ２０３）。すなわち５で割り切れるカウンタ値のＪＰＥＧデータのみを抽出する。ここで５枚目、１０枚目、１５枚目・・・のデータは静止画として抽出し、メモリカード１５にそのまま記録する（Ｓ２０４）。しかしそれ以外のＪＰＥＧデータは削除する（Ｓ２０５）。本実施例では動画の記録時間のうち、サンプリングしたあるコマ分の静止画のみを記録する仕様になっている。しかし、Ｍｏｔｉｏｎ−ＪＰＥＧはＪＰＥＧフォーマットの静止画データ群の集まりであるため、全ての静止画像を抽出して静止画として記録することは可能である。またサンプリング間隔を広げて少ないコマ数の静止画や或いはある任意の１枚のみのＪＰＥＧ画像だけを記録することも可能である。これについては受信に用いるデジタルカメラやユーザーの機能仕様に基づいており、本実施例に限定されるものではない。
【００４８】
これをＭｏｔｉｏｎ−ＪＰＥＧデータに含まれる全てのＪＰＥＧフォーマットデータについて行い（Ｓ２０６）、データ記録を終了する（Ｓ２０７）。
【００４９】
以上のように動画出力装置を有しないデジタルカメラが外部のデータ装置から受信したＭｏｔｉｏｎ−ＪＰＥＧ画像データが送信された場合に、そのデータ受信後にサンプリングした静止画ＪＰＥＧデータのみを記録媒体に静止画として記録する手法にもともと再生不可能な動画像フォーマットのデータからユーザーのニーズに応じて必要十分なデータを再生可能な静止画として記録することが可能になる。
【００５０】
ところで、本実施例においては動画と音声を含むデータフォーマットとしてＭｏｔｉｏｎ−ＪＰＥＧフォーマットについて述べたが、これはこのフォーマットに限定されるものではない。また、外部のデータ処理装置との通信にはプロトコル通信を使用しているが、プロトコルのない通信において、デジタルカメラ側がスレーブ装置として動作している場合でも同様である。さらに、本実施例において受信側の画像再生装置としてデジタルカメラを挙げたが、映像出力装置と記録媒体を有する画像再生装置であれば、いずれの装置にも限定されるものではない。
【図面の簡単な説明】
【００５１】
【図１】第１の実施例におけるデジタルカメラの構成図
【図２】第１の実施例におけるフローチャート
【図３】第２の実施例におけるフローチャート
【図４】ＭＰＥＧ動画像データのフォーマットを示す図
【符号の説明】
【００５２】
１  デジタルカメラ
２  撮影光学系
３  レンズ
４  ＣＣＤ
５  ＣＤＳ／ＡＧＣ
６  Ａ／Ｄコンバータ
７  信号処理装置Ａ
８  Ｖドライブ
９  タイミングジェネレータ
１０  信号処理装置Ｂ
１１  データバス
１２  ＣＰＵバス
１３  不揮発性メモリ
１４  ＣＰＵ
１５  メモリカード
１６  ユーザーインターフェース
１７  ディスプレイコントローラ
１８  ＶＲＡＭ
１９  メモリ
２０  液晶モニタ
２１  フォーマット検知手段
２２  データ編集手段
２３  通信手段
【図１】
2006340147.tif 000003
【図２】
2006340147.tif 000004
【図３】
2006340147.tif 000005
【図４】
2006340147.tif 000006